(57)【要約】【課題】  沸騰水型原子炉用燃料集合体の燃料棒の間に侵入する異物の有無を高い操作性と作業性とで検査することができること。【解決手段】  円筒状若しくは角管状で燃料要素よりも太い径を有する水管３とこの水管３の回りに複数の燃料棒２を縦横の列に束ねて形成された角型燃料集合体１の内部の隙間にブラシ歯状のファイバースコープ群を燃料集合体のて縦横の一方の列の間に挿入してその列間の燃料集合体の異物の有無を検査し、このファイバースコープ群６０をこの一方の列の間から抜いた後、他の列の間に挿入してその列間の燃料集合体の異物の有無を検査する。【選択図】 図５
0003143478.tif 000002
【実用新案登録請求の範囲】
【請求項１】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成されていることを特徴とする燃料集合体の検査装置。
【請求項２】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記ファイバースコープ群は、前記燃料集合体の縦横列間と前記燃料集合体の隣り合う上下のスペーサのすべての組み合わせのスペーサ間に挿入される複数のファイバースコープから成っていることを特徴とする燃料集合体の検査装置。
【請求項３】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記複数のファイバースコープは、前記燃料集合体の前記水管を横切らない列部分ではすべての燃料要素に対向する長さを有し、前記水管を横切る列部分では水管に達するまでに存在する燃料要素に対向する長さを有することを特徴とする燃料集合体の検査装置。
【請求項４】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記ファイバースコープ群は、前記燃料集合体の縦横列間と前記燃料集合体の隣り合う上下のスペーサのすべての組み合わせのスペーサ間に挿入される複数のファイバースコープから成り、前記複数のファイバースコープは、前記燃料集合体の前記水管を横切らない列部分ではすべての燃料要素に対向する長さを有し、前記水管を横切る列部分では水管に達するまでに存在する燃料要素に対向する長さを有することを特徴とする燃料集合体の検査装置。
【請求項５】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記燃料集合体の前記水管を横切らない列部分ではすべての燃料要素に対向する長さのまま固定的に支持するが、前記燃料集合体の前記水管を横切る列部分では相応するファイバースコープを前記水管に干渉しないように長さを調節して支持する支持冶具を有することを特徴とする燃料集合体の検査装置。
【請求項６】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記ファイバースコープ群は、前記燃料集合体の縦横列間と前記燃料集合体の隣り合う上下のスペーサのすべての組み合わせのスペーサ間に挿入される複数のファイバースコープから成り、前記燃料集合体の前記水管を横切らない列部分ではすべての燃料要素に対向する長さのまま固定的に支持するが、前記燃料集合体の前記水管を横切る列部分では相応するファイバースコープを前記水管に干渉しないように長さを調節して支持する支持冶具を有することを特徴とする燃料集合体の検査装置。
【請求項７】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、各ファイバースコープは、前記燃料集合体の各スペーサを挟み込んで多段構造となっていることを特徴とする燃料集合体の検査装置。
【請求項８】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記ファイバースコープ群は、前記燃料集合体の縦横列間と前記燃料集合体の隣り合う上下のスペーサのすべての組み合わせのスペーサ間に挿入される複数のファイバースコープから成り、各ファイバースコープは、前記燃料集合体の各スペーサを挟み込んで多段構造となっていることを特徴とする燃料集合体の検査装置。
【請求項９】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記複数のファイバースコープは、前記燃料集合体の前記水管を横切らない列部分ではすべての燃料要素に対向する長さを有し、前記水管を横切る列部分では水管に達するまでに存在する燃料要素に対向する長さを有し、各ファイバースコープは、前記燃料集合体の各スペーサを挟み込んで多段構造となっていることを特徴とする燃料集合体の検査装置。
【請求項１０】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記ファイバースコープ群は、前記燃料集合体の縦横列間と前記燃料集合体の隣り合う上下のスペーサのすべての組み合わせのスペーサ間に挿入される複数のファイバースコープから成り、前記複数のファイバースコープは、前記燃料集合体の前記水管を横切らない列部分ではすべての燃料要素に対向する長さを有し、前記水管を横切る列部分では水管に達するまでに存在する燃料要素に対向する長さを有し、各ファイバースコープは、前記燃料集合体の各スペーサを挟み込んで多段構造となっていることを特徴とする燃料集合体の検査装置。
【請求項１１】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記燃料集合体の前記水管を横切らない列部分ではすべての燃料要素に対向する長さのまま固定的に支持するが、前記燃料集合体の前記水管を横切る列部分では相応するファイバースコープを前記水管に干渉しないように長さを調節して支持する支持冶具を有し、各ファイバースコープは、前記燃料集合体の各スペーサを挟み込んで多段構造となっていることを特徴とする燃料集合体の検査装置。
【請求項１２】
円筒状若しくは角管状で燃料要素よりも太い径を有する水管と前記水管の回りに複数の燃料要素を縦横の列に束ねて形成された角型燃料集合体の内部の隙間にファイバースコープを挿入して前記燃料集合体内部状況を検査する燃料集合体の検査装置において、前記燃料集合体の縦横の列の燃料要素の間に挿入されるべき複数のファイバースコープから成るファイバースコープ群と前記複数のファイバースコープの外端に共通に接続された走査検査手段とを備え、前記複数のファイバースコープのうち、前記燃料集合体の前記水管を横切る列のファイバースコープは、相応する水管に干渉しないような長さに設定され、前記走査検査手段は、前記各ファイバースコープ毎に相応する燃料要素を順次走査するように構成され、前記ファイバースコープ群は、前記燃料集合体の縦横列間と前記燃料集合体の隣り合う上下のスペーサのすべての組み合わせのスペーサ間に挿入される複数のファイバースコープから成り、前記燃料集合体の前記水管を横切らない列部分ではすべての燃料要素に対向する長さのまま固定的に支持するが、前記燃料集合体の前記水管を横切る列部分では相応するファイバースコープを前記水管に干渉しないように長さを調節して支持する支持冶具を有し、各ファイバースコープは、前記燃料集合体の各スペーサを挟み込んで多段構造となっていることを特徴とする燃料集合体の検査装置。
【請求項１３】
請求項１乃至１２のいずれかに記載の燃料集合体の検査装置であって、前記複数のファイバースコープは、それぞれ多視野ファイバースコープであることを特徴とする燃料集合体の検査装置。
【考案の詳細な説明】
【技術分野】
【０００１】
本考案は、沸騰水型原子炉用燃料集合体の検査装置に関し、特に燃料集合体を原子炉に装荷する前に、燃料集合体のスペーサ及び燃料要素内の異物を有無を検査する装置の改良に関するものである。
【背景技術】
【０００２】
沸騰水型原子炉用燃料集合体１は、図１０に示すように、核分裂性物質である燃料ペレットをジルコニウム合金製の被覆管に封入して形成された複数の燃料棒２と中性子を減速するための少なくとも１つの水管３とを含む燃料要素４を正方格子状に配列して形成された燃料バンドル５と、この燃料バンドル５の上下を保持する上下のタイプレート６Ｕ、６Ｄとから成っている。この燃料集合体１は、燃料バンドル５を保持するために、燃料要素２及び水管３が貫通する長手方向に間隔をあけて設けられた複数のスペーサ８を有する。このように燃料集合体１は、正方格子状の燃料バンドル５を主体とするので、図１０に示すように、角型に形成されている。
【０００３】
このような構成の複数の燃料集合体１が沸騰型原子炉に装荷されるが、原子炉の運転中に、原子炉冷却材中に含まれる異物が燃料集合体１内の燃料要素４の間隙に巻き込まれる虞がある。この異物が原子炉の運転中に燃料集合体１を迅速に通過する場合には問題がないが、異物が燃料を束ねるスペーサ６によって捕捉され、運転中の冷却材の流れによって燃料要素２０に接触を繰り返す場合には燃料棒２の被覆管が摩耗したり、貫通孔が形成されたりすると、燃料要素４内部の核分裂性物質が漏洩することがある。
【０００４】
一方、原子炉の運転時の異物の巻き込みだけでなく、原子炉内へ燃料集合体１を装荷する前の貯蔵プール保管中にも、貯蔵プールの上方からの異物の落下等により燃料集合体１内に異物が侵入することもある。このような異物が侵入した燃料集合体を原子炉に装荷することも避けなければならない。
【０００５】
従って、燃料集合体１０を原子炉内に装荷する前に、これらの異物の有無を確認しておくことは、燃料集合体から核分裂性物質の漏洩を防ぐ上で重要な作業となる。このような目的で原子炉内へ燃料集合体を装荷する前に燃料集合体のスペーサ及び燃料要素間隙における微少な異物を迅速に観察発見する検査装置が従来から使用されている。
【０００６】
原子炉から燃料集合体を取り出した後も、燃料集合体から核分裂生成物から高い放射線の発生がある。このため、燃料集合体の内部を観察する際には、放射線に弱い電子回路を有する小型画像素子のカメラを用いて観察することができないので、従来技術の検査装置には、放射線の影響を受け難い石英製のファイバースコープが用いられている。
【０００７】
従来技術の検査装置は、図１０に示すように、角型燃料集合体１の内部の隙間に横方向から挿入することができるように支持冶具１７０に支持された１本の石英製のファイバースコープ１６０と、このファイバースコープ１６０の出力から異物の有無を確認する図示しない確認検査手段と、このファイバースコープ１６０を燃料要素の隙間に遠隔操作で抜き差しする図示しない操作手段とから成っている。ファイバースコープ１６０は、図１０に示すように、縦横の燃料要素２の列の間に挿入してこの列の両側にあるすべての燃料要素２に接触するような長さを有する。
【０００８】
この検査装置を用いて検査するためには、まず、この１本のファイバースコープ１６０を燃料集合体１の燃料要素２の一方の列、例えば横列の最初の列間で上方の隣り合うスペーサ間に遠隔操作で挿入し（図２及び図１０参照）、この最初の列間とスペーサ間の燃料要素２内の隅間を検査した後、遠隔操作でこの最初の列間とスペーサ間から抜き出して最初の列間で次の隣り合う上下のスペーサ間に挿入してこの部位を検査し、このようにして、ファイバースコープを抜き差ししながら最初の列間のすべてのスぺーサ間の検査を順次行い、最後の列間の検査が終了した後、隣の列間を同様にして検査し、横列のすべての検査が終了した後、縦列の最初の列間から最後の列間まで順次同様にして検査していた。図１０に表示された矢印付きの横縦の線は、ファイバースコープ１６０の抜き差しの動きを示している。
【０００９】
なお、水管３を有する列間、即ち、横列の場合、図１０の左から第３列目と４列目の間と、第４列目と第５列目の間及び第５列目と第６列目の間、同様にして、縦列の場合、図１０の下から第３列目と４列目の間と、第４列目と第５列目の間及び第５列目と第６列目の間は、ファイバースコープ１６０の全長ではなく、縦列の手前の燃料要素２から水管３に至るまでの３つの燃料要素２の列長さに相応する長さでファイバースコープ１６０を列間に挿入して検査を行う。
【００１０】
１本のファイバースコープで複数箇所を観察する際に、燃料集合体の複数列間、複数の上下スペーサ間の燃料要素間隙に対して、３次元の方向の駆動ステージ有する装置を用いてファイバースコープを遠隔操作している。
【００１１】
このように、従来技術では、１本のファイバースコープを用いて燃料集合体内を観察しながら異物の有無を検査していたため、燃料集合体にファイバースコープを列間毎及びスペーサ間毎に抜き差しして検査しなければならないので、検査に多大な手間と時間を必要とし、作業性が低かった。このため、多数の燃料集合体の全スペーサ部位での異物の取り込みの有無を検査するためには、莫大な作業時間がかかるため、原子力発電所の定期検査工程での異物確認作業を行うのには従来の検査作業は、現実的ではなく、検査作業効率を一層向上することができる検査方法・装置の開発が望まれている。
【考案の開示】
【考案が解決しようとする課題】
【００１２】
本考案が解決しようとする課題は、燃料集合体内、特にそのスペーサ付近での異物の有無を検査するのに好適に適用することができる燃料集合体の検査装置を提供することにある。
【課題を解決するための手段】
【００１３】
本考案の基本的な課題解決手段は、水管とこの水管の回りに複数の燃料要素を縦横の列に同数ずつ束ねて形成された角型燃料集合体の内部の隙間にファイバースコープを挿入して燃料集合体の内部状況を検査する燃料集合体の検査装置において、燃料集合体の縦横の列の燃料要素の間に挿入されるべき複数のファイバースコープから成るファイバースコープ群とこれらの複数のファイバースコープの外端に共通に接続された走査検査手段とを備え、複数のファイバースコープのうち、燃料集合体の水管を横切る列のファイバースコープは、相応する水管に干渉しないような長さに設定され、走査検査手段は、各ファイバースコープ毎に相応する燃料要素を順次走査するように構成されていることを特徴とする燃料集合体の検査装置を提供することにある。
【００１４】
本考案の基本的な課題解決手段において、ファイバースコープ群は、燃料集合体の縦横列間と燃料集合体の隣り合う上下のスペーサのすべての組み合わせのスペーサ間に挿入される複数のファイバースコープから成っているのが好ましい。複数のファイバースコープは、燃料集合体の水管を横切らない列部分ではすべての燃料要素に対向する長さを有し、水管を横切る列部分では水管に達するまでに存在する燃料要素に対向する長さを有することができる。または、それに代えて、複数のファイバースコープは、燃料集合体の水管を横切らない列部分ではすべての燃料要素に対向する長さのまま固定的に支持するが、燃料集合体の水管を横切る列部分では相応するファイバースコープを水管に干渉しないように長さを調節して支持する支持冶具を有していてもよい。
【００１５】
また、本考案の基本的な課題解決手段において、各ファイバースコープは、燃料集合体の各スペーサを挟み込んで多段構造となっていてもよく、更に、複数のファイバースコープは、多視野ファイバースコープとすることができる。
【考案の効果】
【００１６】
本考案によれば、複数のファイバースコープを櫛歯状に燃料棒集合体の列間及び隣り合う上下のすべてのスペーサ間に同時に挿入してこれらのファイバースコープを順次走査しながら燃料集合体の内部を観察して検査することができるので、従来技術のように、縦又は横の列間及び上下のスペーサ間にファイバースコープを順次抜き差する必要がなく、操作性及び作業性が向上し、従って原子力発電所の定期検査工程での異物確認作業を好適に行うことができる。
【考案を実施するための最良の形態】
【００１７】
本考案の実施の形態を図面を参照して詳細に述べると、図１は、本考案に係わる燃料集合体検査装置１０の概要を示し、図１では、燃料貯蓄プールＰの周壁ＰＷに沿って設けられたホルダーＨ上に搭載して保管されている燃料集合体１を検査する状態が示されている。
【００１８】
燃料集合体１は、図２及び図４に示すように、複数本の燃料棒２と少なくとも１つの円筒状若しくは角管状で燃料要素よりも太い径を有する水管（ウオータチャンネル）３とを含む棒状要素４を正方格子状に配列して形成された燃料バンドル５と、この燃料バンドル５の上下を保持する上下のタイプレート６Ｕ、６Ｄと、燃料バンドル５を収容する方形断面形状のチャンネルボックス７とから成っている。１つの燃料集合体１は、例えば、燃料棒２０を９行９列に並べて構成され、水管３は、図４、図７の例では、断面円形の円筒型であるが、図８に示すように、断面正方形の角型であってもよく、またいずれの場合も、１つ（図４、図５、図６、図８及び図９）又は２つ（図７）でもよいし、それ以上の複数であってもよい。
【００１９】
この燃料集合体１は、燃料バンドル５を保持するために、燃料棒２及び上記の水管３が貫通する長手方向に間隔をあけて設けられた複数のスペーサ８を有し、このスペーサ８は、各燃料棒２が貫通する複数の短管を格子状に配列して形成されている公知の形態である。
【００２０】
本考案の検査装置１０は、図１に示すように、燃料貯蓄プールＰの周壁ＰＷの岸部に設置された作業台ＷＳ上に搭載されて検査装置１０の本体１０Ｂを操作するコンピュータの如き操作手段２０と、複数のディスプレーＤＰから成るモニター手段３０とを含んでいる。
【００２１】
検査装置本体１０Ｂは、作業台ＷＳから吊下げられるワイヤロープＷＲを含む適宜の吊下げ手段４０によって検査すべき燃料集合体１の被検査部まで吊下げられる。操作手段２０と検査装置本体１０Ｂとは、電気ケーブルの如き信号伝送手段５０によって接続されている。
【００２２】
検査装置本体１０Ｂは、防水容器内に配置された図示しない照明手段（光源）、受像手段(カメラ)及びアクチュエータを含んでいる。アクチュエータは、後に述べるように、検査装置本体１０Ｂから延びるファイバースコープを抜き差ししたり、その姿勢を変えたりするのに用いられる。
【００２３】
本考案の検査装置１０は、燃料集合体１の縦横の列の燃料要素の間で隣り合う上下のスぺーサ８の間又は隣り合う上下の組み合わせのすべてのスペーサ８間に挿入されるべき複数のファイバースコープ６０から成るブラシ歯状のファイバースコープ群６０Ｇ（図３参照）と、これらの複数のファイバースコープ６０を支持する支持冶具７０と、各ファイバースコープ６０の外端に共通に接続された走査検査手段(図示せず)とを更に備え、ファイバースコープ群６０Ｇのうち、燃料集合体１の水管３を横切る列のファイバースコープ６３、６４、６５は、相応する水管３に干渉しないような長さで延びてその列間の燃料棒２に対向し、それ以外のファイバースコープ６１、６２、６６、６７は、各列のすべての燃料棒２に対向するように延びている(図４参照)。
【００２４】
各ファイバースコープ６０は、図３及び図９に示すように、例えば、下方又は上方に向けて視野を有する帯状スコープであってもよいし、それ以外に上下に向けて視野を有する多視野形式のものであってもよく、断面形状は、その視野の方向に基づいて設定される。図４の形態では、各列のファイバースコープ６０は、上下２本の複数段ファイバースコープ６０Ｕ、６０Ｄの組み合わせから成り、上方のファイバースコープ６０Ｕは、上方視野を有し、下方のファイバースコープ６０Ｄは、下方視野を有し、これらが組み合わさって上下の視野を有するように構成されている。
【００２５】
走査検査手段は、各ファイバースコープ６１乃至６７毎に相応する燃料要素５を順次走査するように構成されており、各走査毎に、ファイバースコープ６１乃至６７から送信されてくる映像は、装置本体１０Ｂ内の受像装置（カメラ）で受像され、信号伝送手段（ケーブル）５０によって制御手段２０を介してモニター手段３０の各ディスプレイＤＰに表示される。
【００２６】
図４の形態では、複数のファイバースコープ６０のうち、燃料集合体１の水管３を横切らない列部分のファイバースコープ６１、６２、６６、６７は、すべての燃料棒２に対向する長さのまま支持冶具７０に固定的に支持されているが、燃料集合体１の水管３を横切る列部分に相応するファイバースコープ６３、６４、６５は、水管３に干渉しないように長さを調節することができるように支持冶具７０に支持されている。即ち、図４（Ａ）に示すように、ファイバースコープ６３、６４、６５は、支持冶具７０内を摺動しつつ引っ込ませてその先端が水管３で終わるように調節される。
【００２７】
なお、図５、図６、図９に示すように、ファイバースコープ６３、６４、６５が差し込み状態で水管３で終わるような長さにして支持冶具７０に固定的に支持されていてもよい。また、図８に示すように、燃料集合体１が正方形ではあるが、縦横いずれの列も１０本の燃料棒１であって縦列と横列とでは、水管３の前後の燃料棒の数が異なる場合には、ファイバースコープ６０のうち、水管３に干渉する列のファイバースコープ６４、６５は、３つの燃料棒２の列の長さに対応した長さにして支持冶具７０に固定して、縦列の検査の場合には、短いファイバースコープ６４，６５の先端が水管３に対応する４つの燃料棒２のうち３つの燃料棒２にのみ対向し、水管３に最も近い燃料棒２には対向しないような形態とすることもできる。
【００２８】
次に、本考案の検査装置を用いて燃料集合体を検査する方法の幾つかのパターンを図４以下を参照して述べるが、図４の形態では、検査方法を詳細に述べ、図５以下では図４と異なる点のみを説明する。
【００２９】
（図４による第１の形態）
この形態では、燃料集合体１は、水管３を横切る部分は縦横いずれも６本、その他の部分は、縦横いずれも８本の燃料棒２を断面円形の水管３のまわりに正方形となるように束ねて形成されている。作業台ＷＳから吊下げ手段(ワイヤロープ)４０によって検査装置本体１０Ｂを燃料貯蓄プールＰ内の被検査物である燃料集合体１の被検査部に対向する位置まで下降し、所定位置に配備する。この位置で、まず、燃料集合体１のすべての横列隙間にブラシ歯状のファイバースコープ群６０Ｇを差し込む。この差し込みは、操作手段(コンピュータ)２０を操作して水中にある検査本体１０Ｂ内のアクチュエータを操作して行う。その後、操作手段２０からの指令に基づいて検査本体１０Ｂ内の走査手段によって複数のファイバースコープ６０を順次走査して燃料集合体１の横列間で隣り合う燃料棒２の間で隣り合う上下のスペーサ８間の映像を受像手段で受像し、その受信映像を信号伝送手段５０及び操作手段２０を介して相応するモニター手段（ディスプレイＤＰ）３０に表示し、各列間の異物の有無を確認する。
【００３０】
横列間の検査を終了した後、アクチュエータを駆動して横列間からファイバースコープ群６０Ｇを抜き出し、検査本体１０Ｂを図示しない駆動手段によって燃料集合体１の縦列に対応するように移動させ、アクチュエータによって縦列間ですべての上下のスペーサ間にブラシ歯状のファイバースコープ６０を同時に差し込み（図５（Ｂ）参照）、横列の場合と同様にして、複数のファイバースコープ６０を順次走査して受像し、モニター手段３０の各ディスプレイに表示して縦列間のすべてのスペーサ間の異物の有無を確認する。
【００３１】
図４（Ａ）に示すように、ファイバースコープ６０のうち、水管３に対応するファイバースコープ６３乃至６５は、支持治具７０で水平方向に位置調整してその先端が水管３０に達するような長さに設定される。また、図４（Ｂ）に示すように、支持治具７０を垂直方向に位置調節してスペーサ８を有する部位に焦点が合うように設定される。図４の形態では、ファイバースコープ６０は、上下の組み合わせから成っているので、上下方向に視野が広がっており、隣り合う上下のスペーサ８の間の異物の有無を観察することができる。
【００３２】
（図５による第２の形態）
この形態では、水管３に対応するファイバースコープ６３乃至６５が支持治具７０から予め水管３に達するまでの長さに設定されていることを除いて検査方法の仕方は図４の形態と全く同じである。
【００３３】
（図６による第３の形態）
燃料集合体１が水管３を横切る列では縦横いずれも６本、その他の列では縦横いずれも９本の燃料棒１を断面正方形の水管３のまわりに正方形となるように並べて形成されていることを除いて検査方法の仕方は図５の形態と全く同じである。
【００３４】
（図７による第４の形態）
燃料集合体１が水管３を横切る列では６本または７本、その他の列では縦横各９本の燃料棒１を断面円形で斜めに配置された２つの水管３のまわりに正方形となるように並べて形成されていることを除いて検査方法の仕方は図６の形態と全く同じである。
【００３５】
（図８による第５の形態）
燃料集合体１は、水管３を横切る列では縦横いずれも７本、その他の列では縦横各１０本の燃料棒１を断面正方形の水管３のまわりに正方形となるように並べて形成されている。この形態では、水管３に対応するファイバースコープ６４、６５が３つの燃料棒１の間に差し込まれる長さを有し、従って図８（Ａ）に示すように、縦列間にファイバースコープ６４、６５を差し込むとその先端が水管３より手前で終わるが、図８（Ｂ）に示すように、横列間にファイバースコープ６４、６５を差し込むとその先端が水管３に到達することになる。図８（Ａ）状態での検査でも、ファイバースコープ６４、６５の視野は、図３に示すように広がりを有するので、そのファイバースコープ６４、６５の先端より水管３側にある燃料棒の間の観察に支障を来すことはない。この形態での検査の仕方は、実質的には、他の形態と同じである。
【００３６】
（図９による第６の形態）
この形態では、燃料集合体１は、図４の場合と同じであるが、各ファイバースコープ６０がスペーサ８を挟んでその上下に位置するように配置され、これらの上下のファイバースコープ６０Ｕ、６０Ｄがそれぞれ下方及び上方に広がる視野を有することを除いて検査の仕方は、他図４の形態と同じである。
【００３７】
（本考案と従来技術との比較）
図１０に示す従来技術による検査方法では、１つの走査（１回の検査）に掛かる時間が３分であるとして縦横の２方向毎にスペーサ間の数７であるので、３分×各列の隙間の数７×縦横２方向×上下の視野数２＝８４分であったが、本考案の図４による形態では、各列の隙間は同時に検査されるので、３分×縦横２列×上下の視野の数２＝１２分であり、作業時間は、１／７に短縮された。なお、上記の計算は、単眼ファイバースコープ視野変更に必要な単純計算であるので、実際は、上記よりもやや作業時間を要する。
【産業上の利用可能性】
【００３８】
本考案によれば、ブラシ歯状のファイバスコープ群が燃料集合体のすべての列間とすべての上下のスペーサ間に同時に差し込まれて燃料棒間の隙間を観察するので、高い操作性と高い作業性とで異物の有無を精度よく確認することができ、高い産業上の利用可能性を有する。
【図面の簡単な説明】
【００３９】
【図１】本考案に係る燃料集合体検査装置の使用状態の概略系統図である。
【図２】本考案の装置によって検査される燃料集合体の正面図である。
【図３】燃料集合体の燃料棒の列間に１つのファイースコープが差し込まれた状態の拡大斜視図である。
【図４】本考案の装置による第１の形態の検査方法を示し、同図（Ａ）は、その水平断面図、同図（Ｂ）は、１つのファイバースコープの差し込み状態の説明図である。
【図５】本考案の装置による第２の形態の検査方法を示し、同図（Ａ）は、横列の検査状態の水平断面図、同図（Ｂ）は、縦列の検査状態の水平断面図である。
【図６】本考案の装置による第３の形態の検査方法を示し、同図（Ａ）は、縦列の検査状態の水平断面図、同図（Ｂ）は、横列の検査状態の水平断面図である。
【図７】本考案の装置による第４の形態の検査方法を示し、同図（Ａ）は、縦列の検査状態の水平断面図、同図（Ｂ）は、横列の検査状態の水平断面図である。
【図８】本考案の装置による第５の形態の検査方法を示し、同図（Ａ）は、縦列の検査状態の水平断面図、同図（Ｂ）は、横列の検査状態の水平断面図である。
【図９】本考案の装置による第６の形態の検査方法を示し、同図（Ａ）は、その水平断面図、同図（Ｂ）は、１つのファイバースコープの差し込み状態の説明図である。
【図１０】従来技術による燃料集合体の検査方法を示す水平断面図である。
【符号の説明】
【００４０】
１    燃料集合体
２    燃料棒
３    水管
４    棒状要素
５    燃料バンドル
６Ｕ、６Ｄ  上下のタイプレート
７    チャンネルボックス
８    スペーサ
１０    燃料集合体検査装置
１０Ｂ  装置本体
２０    操作手段
３０    モニター手段
４０    吊下げ手段
５０    信号伝送手段
６０、６１乃至６８  ファイバースコープ
６０Ｇ  ファイバースコープ群
７０    支持冶具
Ｐ    燃料貯蓄プール
ＰＷ    周壁
Ｈ    ホルダー
ＷＳ    作業台
ＷＲ    ワイヤロープ
【図１】
0003143478.tif 000003
【図２】
0003143478.tif 000004
【図３】
0003143478.tif 000005
【図４】
0003143478.tif 000006
【図５】
0003143478.tif 000007
【図６】
0003143478.tif 000008
【図７】
0003143478.tif 000009
【図８】
0003143478.tif 000010
【図９】
0003143478.tif 000011
【図１０】
0003143478.tif 000012